【手続補正書】
【提出日】平成15年12月12日(2003.12.12)
【手続補正１】
【補正対象書類名】明細書
【補正対象項目名】発明の名称
【補正方法】変更
【補正の内容】
【発明の名称】画像処理装置および画像処理装置の制御方法
【手続補正２】
【補正対象書類名】明細書
【補正対象項目名】特許請求の範囲
【補正方法】変更
【補正の内容】
【特許請求の範囲】
【請求項１】
複数のジョブを受け付け、並行実行可能な画像処理装置であって、
ジョブの停止の指示に従って、実行中のジョブの一覧を表示する表示手段と、
前記表示手段により表示された一覧の中から選択されたジョブを停止する停止手段とを有することを特徴とする画像処理装置。
【請求項２】
ジョブの停止の指示に従って、実行中のジョブの処理を中断する中断手段を有し、
前記表示手段は、前記中断手段により実行中のジョブの処理が中断された後に、ジョブの一覧を表示することを特徴とする請求項１に記載の画像処理装置。
【請求項３】
前記中断手段により中断されたジョブのうち、前記表示手段により表示された一覧の中から選択されなかったジョブを再開する再開手段を有することを特徴とする請求項２に記載の画像処理装置。
【請求項４】
前記表示手段は、実行中のジョブが複数である場合、実行中のジョブの一覧を表示し、
前記停止手段は、実行中のジョブが１つである場合、当該ジョブを停止し、実行中のジョブが複数である場合、前記表示手段により表示された一覧の中から選択されたジョブを停止することを特徴とする請求項１乃至３のいずれかに記載の画像処理装置。
【請求項５】
複数のジョブを受け付け、並行実行可能な画像処理装置において、
投入されたジョブに対し、個々のジョブを特定可能な識別情報を付加する付加手段と、
ジョブの停止を指示する指示手段と、
ジョブを識別情報を用いてジョブの一覧を表示させて、該一覧の中からいずれかのジョブを選択可能な表示選択手段と、
前記表示選択手段により選択されたジョブを停止制御する制御手段と、を有することを特徴とする画像処理装置。
【請求項６】
複数のジョブを受け付け、並行実行可能な画像処理装置において、
投入されたジョブに対し、個々のジョブを特定可能な識別情報を付加する付加手段と、
ジョブの停止を指示する指示手段と、
ジョブを識別情報を用いてジョブの一覧を表示させて、該一覧の中からいずれかのジョブを選択可能な表示選択手段と、
前記表示選択手段により選択されたジョブを停止させ、選択されなかったジョブを再開制御する制御手段と、を有することを特徴とする画像処理装置。
【請求項７】
複数のジョブを受け付け、並行実行可能な画像処理装置において、
投入されたジョブに対し、個々のジョブを特定可能な識別情報を付加する付加手段と、
ジョブの停止を指示する指示手段と、
ジョブを識別情報を用いてジョブの一覧を表示させて、該一覧の中からいずれかのジョブを選択可能な表示選択手段と、
前記指示手段によりジョブの停止が指示された場合に、実行中のジョブが１つの場合は該ジョブを停止し、実行中のジョブが複数存在する場合は、前記表示選択手段により選択されたジョブを停止制御する制御手段と、を有することを特徴とする画像処理装置。
【請求項８】
前記付加手段は、投入されたジョブに対し、前記個々のジョブを特定可能な識別情報に加えて、任意のジョブ情報を付加可能なことを特徴とする請求項５〜７のいずれかに記載の画像処理装置。
【請求項９】
複数のジョブを受け付け、並行実行可能な画像処理装置の制御方法であって、
ジョブの停止の指示に従って、実行中のジョブの一覧を表示手段に表示する表示ステップと、
前記表示手段により表示された一覧の中から選択されたジョブを停止する停止ステップとを有することを特徴とする画像処理装置の制御方法。
【請求項１０】
複数のジョブを受け付け、並行実行可能な画像処理装置の制御方法において、
投入されたジョブに対し、個々のジョブを特定可能な識別情報を付加する付加ステップと、
ジョブの停止を指示する指示ステップと、
ジョブを識別情報を用いてジョブの一覧を表示させて、該一覧の中からいずれかのジョブを選択可能な表示選択ステップと、
前記表示選択ステップにより選択されたジョブを停止制御する制御ステップと、を有することを特徴とする画像処理装置の制御方法。
【請求項１１】
複数のジョブを受け付け、並行実行可能な画像処理装置の制御方法において、
投入されたジョブに対し、個々のジョブを特定可能な識別情報を付加する付加ステップと、
ジョブの停止を指示する指示ステップと、
ジョブを識別情報を用いてジョブの一覧を表示させて、該一覧の中からいずれかのジョブを選択可能な表示選択ステップと、
前記表示選択ステップにより選択されたジョブを停止させ、選択されなかったジョブを再開制御する制御ステップと、
を有することを特徴とする画像処理装置の制御方法。
【請求項１２】
複数のジョブを受け付け、並行実行可能な画像処理装置の制御方法において、
投入されたジョブに対し、個々のジョブを特定可能な識別情報を付加する付加ステップと、
ジョブの停止を指示する指示ステップと、
ジョブを識別情報を用いてジョブの一覧を表示させて、該一覧の中からいずれかのジョブを選択可能な表示選択ステップと、
前記指示ステップによりジョブの停止が指示された場合に、実行中のジョブが１つの場合は該ジョブを停止し、実行中のジョブが複数存在する場合は、前記表示選択手段により選択されたジョブを停止制御する制御ステップと、
を有することを特徴とする画像処理装置の制御方法。
【手続補正３】
【補正対象書類名】明細書
【補正対象項目名】０００１
【補正方法】変更
【補正の内容】
【０００１】
【発明の属する技術分野】
本発明は、複数のジョブを受け付け、並行実行可能な画像処理装置並びに画像処理装置の制御方法に関するものである。


【手続補正４】
【補正対象書類名】明細書
【補正対象項目名】０００９
【補正方法】変更
【補正の内容】
【０００９】
本発明は、上記の問題点を解決するためになされたもので、本発明の目的は、ジョブの停止が指示された場合、ジョブの一覧を表示させ、該一覧の中からいずれかのジョブを選択させ、該選択されたジョブを停止制御することにより、ユーザが一覧表示されたジョブ中より、ユーザが選択するジョブを停止させることができる操作性に優れた画像処理装置並びに画像処理装置の制御方法を提供することである。
また、第２の目的は、ユーザが一覧表示されたジョブ中より、ユーザが選択するジョブを停止させた後、選択されなかったジョブを再開させることにより、ユーザが選択するジョブを適時に停止させて、それ以外のジョブの実行を遅延なく再開できる操作性に優れた画像処理装置並びに画像処理装置の制御方法を提供することである。
さらに、第３の目的は、ジョブの停止が指示された場合、実行中のジョブがただ１つであるか複数存在するかを判定し、実行中のジョブがただ１つであると判定された場合に、該ジョブを停止させ、実行中のジョブが複数存在すると判定された場合に、ジョブの一覧を表示させ、該一覧の中からいずれかのジョブを選択させ、該選択されたジョブを停止制御することにより、ユーザが選択するジョブを停止させることができ、特に実行中のジョブが一つだけの場合は、ユーザにジョブを選択させるという煩雑な操作を強いることなく直ちにジョブを停止することができるとともに、複数ある場合は、ユーザが選択するジョブを停止させることができる操作性に優れた画像処理装置並びに画像処理装置の制御方法を提供することである。


【手続補正５】
【補正対象書類名】明細書
【補正対象項目名】００１０
【補正方法】変更
【補正の内容】
【００１０】
【課題を解決するための手段】
本発明に係る第１の発明は、複数のジョブを受け付け、並行実行可能な画像処理装置であって、ジョブの停止の指示に従って、実行中のジョブの一覧を表示する表示手段と、前記表示手段により表示された一覧の中から選択されたジョブを停止する停止手段とを有することを特徴とする。


【手続補正６】
【補正対象書類名】明細書
【補正対象項目名】００１１
【補正方法】変更
【補正の内容】
【００１１】
本発明に係る第２の発明は、ジョブの停止の指示に従って、実行中のジョブの処理を中断する中断手段を有し、前記表示手段は、前記中断手段により実行中のジョブの処理が中断された後に、ジョブの一覧を表示することを特徴とする。


【手続補正７】
【補正対象書類名】明細書
【補正対象項目名】００１２
【補正方法】変更
【補正の内容】
【００１２】
本発明に係る第３の発明は、前記中断手段により中断されたジョブのうち、前記表示手段により表示された一覧の中から選択されなかったジョブを再開する再開手段を有することを特徴とする。


【手続補正８】
【補正対象書類名】明細書
【補正対象項目名】００１３
【補正方法】変更
【補正の内容】
【００１３】
本発明に係る第４の発明は、前記表示手段は、実行中のジョブが複数である場合、実行中のジョブの一覧を表示し、前記停止手段は、実行中のジョブが１つである場合、当該ジョブを停止し、実行中のジョブが複数である場合、前記表示手段により表示された一覧の中から選択されたジョブを停止することを特徴とする。


【手続補正９】
【補正対象書類名】明細書
【補正対象項目名】００１４
【補正方法】変更
【補正の内容】
【００１４】
本発明に係る第５の発明は、複数のジョブを受け付け、並行実行可能な画像処理装置において、投入されたジョブに対し、個々のジョブを特定可能な識別情報を付加する付加手段と、ジョブの停止を指示する指示手段と、ジョブを識別情報を用いてジョブの一覧を表示させて、該一覧の中からいずれかのジョブを選択可能な表示選択手段と、前記表示選択手段により選択されたジョブを停止制御する制御手段とを有することを特徴とする。


【手続補正１０】
【補正対象書類名】明細書
【補正対象項目名】００１５
【補正方法】変更
【補正の内容】
【００１５】
本発明に係る第６の発明は、複数のジョブを受け付け、並行実行可能な画像処理装置において、投入されたジョブに対し、個々のジョブを特定可能な識別情報を付加する付加手段と、ジョブの停止を指示する指示手段と、ジョブを識別情報を用いてジョブの一覧を表示させて、該一覧の中からいずれかのジョブを選択可能な表示選択手段と、前記表示選択手段により選択されたジョブを停止させ、選択されなかったジョブを再開制御する制御手段と、を有することを特徴とする。


【手続補正１１】
【補正対象書類名】明細書
【補正対象項目名】００１６
【補正方法】変更
【補正の内容】
【００１６】
本発明に係る第７の発明は、複数のジョブを受け付け、並行実行可能な画像処理装置において、投入されたジョブに対し、個々のジョブを特定可能な識別情報を付加する付加手段と、ジョブの停止を指示する指示手段と、ジョブを識別情報を用いてジョブの一覧を表示させて、該一覧の中からいずれかのジョブを選択可能な表示選択手段と、前記指示手段によりジョブの停止が指示された場合に、実行中のジョブが１つの場合は該ジョブを停止し、実行中のジョブが複数存在する場合は、前記表示選択手段により選択されたジョブを停止制御する制御手段とを有することを特徴とする。


【手続補正１２】
【補正対象書類名】明細書
【補正対象項目名】００１７
【補正方法】変更
【補正の内容】
【００１７】
本発明に係る第８の発明は、前記付加手段は、投入されたジョブに対し、前記個々のジョブを特定可能な識別情報に加えて、任意のジョブ情報を付加可能なことを特徴とする。


【手続補正１３】
【補正対象書類名】明細書
【補正対象項目名】００１８
【補正方法】変更
【補正の内容】
【００１８】
本発明に係る第９の発明は、複数のジョブを受け付け、並行実行可能な画像処理装置の制御方法であって、ジョブの停止の指示に従って、実行中のジョブの一覧を表示手段に表示する表示ステップと、前記表示手段により表示された一覧の中から選択されたジョブを停止する停止ステップとを有することを特徴とする。


【手続補正１４】
【補正対象書類名】明細書
【補正対象項目名】００１９
【補正方法】変更
【補正の内容】
【００１９】
本発明に係る第１０の発明は、複数のジョブを受け付け、並行実行可能な画像処理装置の制御方法において、投入されたジョブに対し、個々のジョブを特定可能な識別情報を付加する付加ステップと、ジョブの停止を指示する指示ステップと、ジョブを識別情報を用いてジョブの一覧を表示させて、該一覧の中からいずれかのジョブを選択可能な表示選択ステップと、前記表示選択ステップにより選択されたジョブを停止制御する制御ステップとを有することを特徴とする。
本発明に係る第１１の発明は、複数のジョブを受け付け、並行実行可能な画像処理装置の制御方法において、投入されたジョブに対し、個々のジョブを特定可能な識別情報を付加する付加ステップと、ジョブの停止を指示する指示ステップと、ジョブを識別情報を用いてジョブの一覧を表示させて、該一覧の中からいずれかのジョブを選択可能な表示選択ステップと、前記表示選択ステップにより選択されたジョブを停止させ、選択されなかったジョブを再開制御する制御ステップとを有することを特徴とする。
本発明に係る第１２の発明は、複数のジョブを受け付け、並行実行可能な画像処理装置の制御方法において、投入されたジョブに対し、個々のジョブを特定可能な識別情報を付加する付加ステップと、ジョブの停止を指示する指示ステップと、ジョブを識別情報を用いてジョブの一覧を表示させて、該一覧の中からいずれかのジョブを選択可能な表示選択ステップと、前記指示ステップによりジョブの停止が指示された場合に、実行中のジョブが１つの場合は該ジョブを停止し、実行中のジョブが複数存在する場合は、前記表示選択手段により選択されたジョブを停止制御する制御ステップとを有することを特徴とする。


【手続補正１５】
【補正対象書類名】明細書
【補正対象項目名】０３９３
【補正方法】変更
【補正の内容】
【０３９３】
【発明の効果】
以上説明したように、本発明によれば、ジョブの停止が指示された場合、ジョブの一覧を表示させ、該一覧の中からいずれかのジョブを選択させ、該選択されたジョブを停止制御するので、ユーザが一覧表示されたジョブ中より、ユーザが選択するジョブを停止させることができる。
また、ユーザが一覧表示されたジョブ中より、ユーザが選択するジョブを停止させた後、選択されなかったジョブを再開させるので、ユーザが選択するジョブを適時に停止させて、それ以外のジョブの実行を遅延なく再開できる。
さらに、ジョブの停止が指示された場合、実行中のジョブがただ１つであるか複数存在するかを判定し、実行中のジョブがただ１つであると判定された場合に、該ジョブを停止させ、実行中のジョブが複数存在すると判定された場合に、ジョブの一覧を表示させ、該一覧の中からいずれかのジョブを選択させ、該選択されたジョブを停止制御するので、ユーザが選択するジョブを停止させることができ、特に実行中のジョブが一つだけの場合は、ユーザにジョブを選択させるという煩雑な操作を強いることなく直ちにジョブを停止することができるとともに、複数ある場合は、ユーザが選択するジョブを停止させることができる。


【手続補正１６】
【補正対象書類名】明細書
【補正対象項目名】０３９４
【補正方法】削除
【補正の内容】
【手続補正１７】
【補正対象書類名】明細書
【補正対象項目名】０３９５
【補正方法】削除
【補正の内容】
【手続補正１８】
【補正対象書類名】明細書
【補正対象項目名】０３９６
【補正方法】削除
【補正の内容】
【手続補正１９】
【補正対象書類名】明細書
【補正対象項目名】０３９７
【補正方法】削除
【補正の内容】
【手続補正２０】
【補正対象書類名】明細書
【補正対象項目名】０３９８
【補正方法】削除
【補正の内容】
【手続補正２１】
【補正対象書類名】明細書
【補正対象項目名】０３９９
【補正方法】削除
【補正の内容】